【事件の表示】
　特許第３０７７５７３号「紙容器」の請求項１に係る特許に対する特許異議の申立てについて、次のとおり決定する。
【結　論】
　訂正を認める。
　特許第３０７７５７３号の請求項１に係る特許を取り消す。
【理　由】
Ｉ　手続の経緯
　
　特許第３０７７５７３号の請求項１に係る発明についての手続の経緯は、およそ次のとおりである。
（１）特許出願　平成７年１１月２２日
（２）特許権の設定の登録　平成１２年６月１６日
（３）特許掲載公報の発行　平成１２年８月１４日
（４）高塚ちはるより特許異議の申立て　平成１３年１月１９日
（５）福田雅彰より特許異議の申立て　平成１３年２月６日
（６）特許の取消理由の通知の発送　平成１３年５月１５日
（７）特許権者より特許異議意見書の提出及び訂正請求（指定期間内）　平成１３年７月１６日
（８）特許権者へ審尋の発送　平成１４年１月１８日
（９）特許権者より回答書の提出　平成１４年３月１９日
　
ＩＩ　訂正の適否について
　
１　訂正の内容
　前記Ｉ（７）の訂正請求は、次のア〜イのとおり、明細書の記載を訂正することを求めるものである。
　ア　特許異議の申立てがされている請求項１について、訂正前の特許請求の範囲の記載、すなわち、
「【請求項１】紙層、及びシングルサイト触媒を用いて重合された直鎖低密度ポリエチレンとマルチサイト触媒を用いて重合された低密度ポリエチレンのブレンドから実質的になる内層を有する紙容器。」
を、訂正明細書の特許請求の範囲の記載、すなわち、
「【請求項１】紙層、及びシングルサイト触媒を用いて重合された直鎖低密度ポリエチレンとマルチサイト触媒を用いて重合された低密度ポリエチレンのブレンドから実質的になる内層を有し、折り込まれてヒートシールにより密閉された紙容器。」
に訂正する。
　イ　発明の詳細な説明の段落【０００５】の記載中、訂正前の「紙層、及びシングルサイト触媒を用いて重合された直鎖低密度ポリエチレンとマルチサイト触媒を用いて重合された低密度ポリエチレンのブレンドから実質的になる内層を有する紙容器」を、訂正明細書の「紙層、及びシングルサイト触媒を用いて重合された直鎖低密度ポリエチレンとマルチサイト触媒を用いて重合された低密度ポリエチレンのブレンドから実質的になる内層を有し、折り込まれてヒートシールにより密閉された紙容器」に訂正する。
　
２　訂正の目的の適否、新規事項の追加の有無及び特許請求の範囲の拡張・変更の存否
　アの訂正は、（i）訂正前の請求項１において、紙容器について、それをさらに、「折り込まれてヒートシールにより密閉された」ものに限定するものであるから、特許請求の範囲の減縮を目的とするものに該当する。
　イの訂正は、アの訂正に整合させて、対応する発明の詳細な説明について所要の訂正を行うものであるから、明りょうでない記載の釈明を目的とするものに該当する。
　そして、これらの訂正は、いずれも願書に添付された明細書又は図面に記載された事項の範囲内においてされたものであり、また、特許請求の範囲を実質上拡張するものでも変更するものでもない。
　
３　むすび
　以上のとおりであるから、ア〜イの訂正は、特許法第１２０条の４第２項の規定及び同条第３項において準用する同法第１２６条第第２項及び第３項の規定に適合するので、当該訂正を認める。
　
ＩＩＩ　特許異議の申立てについて
　
１　本件発明
　本件特許の請求項１に係る発明は、前記ＩＩ．１．アに摘記した訂正明細書の特許請求の範囲の請求項１に記載された事項により特定されるとおりのものである。
　
２　特許異議の申立ての理由の概要
（１）特許異議申立人高塚ちはるは、後記の甲第１号証ないし甲第２号証を提出し、次のカの理由により、本件請求項１に係る特許は取り消されるべきものであると主張している。
　カ　訂正前の請求項１に係る発明は、甲第１号証及び甲第２号証の各刊行物に記載された発明に基づいて、本件出願前に当業者が容易に発明をすることができたものであるから、特許法第２９条第２項の規定により、特許を受けることができないものである。
【証拠方法】
　甲第１号証：特開平７−１４８８９５号公報
　甲第２号証：特表平６−５０９５２８号公報
（２）特許異議申立人福田雅彰は、後記の甲第１号証ないし甲第４号証を提出し、次のキの理由により、本件請求項１に係る特許は取り消されるべきものであると主張している。
　キ　訂正前の請求項１に係る発明は、甲第１号証ないし甲第４号証の各刊行物に記載された発明に基づいて本件出願前に当業者が容易に発明をすることができたものであるから、特許法第２９条第２項の規定により、特許を受けることができないものである。
【証拠方法】
　甲第１号証：「包装技術」平成７年１１月号、２４〜３１頁、平成７年１１月１５日科学技術振興事業団受入（以下「刊行物２」という。）
　甲第２号証：特開平７−１４８８９５号公報（以下「刊行物１」という。）
　甲第３号証：特公平４−８１５０６号公報
　甲第４号証：特開平７−１１８４３１号公報
　
３　特許の取消理由において引用した刊行物とその記載内容
　当審では、特許の取消理由において、刊行物１〜２ほかを引用した。
（１）刊行物１（特開平７−１４８８９５号公報）の記載内容
（１−１）刊行物１には、次の1a〜1fの事項が図面（図１〜３）とともに記載されている。
　1a　「シングルサイト触媒を用いて重合したエチレン−αオレフィン共重合体層を最内層とすることを特徴とする紙容器。」《特許請求の範囲》
　1b　「一般に、液体用紙容器は、内容物の保存性、容器としての強度等を確保するため各種の積層体を用いて形成される。そして、この液体用紙容器に用いられる積層体としては、ポリエチレン（ＰＥ）／紙／ＰＥ、ＰＥ／紙／ＰＥ／Ａｌ／ＰＥ、ＰＥ／紙／ＰＥ／Ａｌ／ポリエスレル（ＰＥＴ）／ＰＥ等の積層体が知られており、また現在においても汎用されている。従来、液体用紙容器の最内層としては、一般に高圧法（低密度）ポリエチレンが用いられている。これはヒートシールし易く、加工も容易なためである。また、水や酒のようにポリエチレン臭を嫌う場合には、高圧法低密度ポリエチレンよりも良好であるため、液体用紙容器の最内層として、チーグラー触媒（活性点が複数なのでマルチサイト触媒と呼ばれる）を用いて得られるエチレン−αオレフィン共重合体フィルムが用いられることもある。《段落【０００２】〜【０００３】。前記の「ポリエスレル」は、直後の括弧書きから見て、「ポリエステル」（より正確には、「ポリエチレンテレフタレート」）の誤記と認める。》
　1c　「しかしながら、液体用紙容器の最内層として高圧法低密度ポリエチレンを使用した場合にあっては、高圧法低密度ポリエチレンに含まれる低分子量物が紙容器内の内容物に移行し、内容物の味覚が変化する問題がある。特に、内容物が酒、焼酎、ウイスキー、ミネラルウオーターなどの場合には、この問題は深刻である。また、高圧法低密度ポリエチレンに含まれる低分子量物が原因で、このフィルムの滑性が悪く、加工上支障があり、フィルムの滑性を良くするために滑剤を添加すると、滑剤が内容物に移行し、内容物の味覚が変化するという問題がある。また、液体用紙容器の最内層として、チーグラー触媒を用いて得られるエチレン−αオレフィン共重合体フィルムを用いる場合にあっては、このフィルムはシール温度が高く加工性に問題があり、この加工性を良くするためにフィルムの密度を低くすると、低分子量物が多くなり、この結果、フィルムの滑性が悪く、加工上支障があり、フィルムの滑性を良くするために滑剤を添加すると、滑剤が内容物に移行し、内容物の味覚が変化するという問題がある。《段落【０００４】〜【０００６】》
　1d　「本発明は上記問題点に鑑みてなされたものであり、内容物への移臭がなくしたがって官能的に良好な紙容器の提供を目的とする。《段落【０００７】》
　1e　「本発明は紙容器は、紙容器の最内層として、上述したようなシングルサイト触媒を用いて得られるエチレン−αオレフィン共重合体層を用いたことを特徴とするものであり、紙容器の最内層以外の層構成に関しては特に制限されるものではない。すなわち、最内層以外の層構成としては種々の態様のものが考えられる。この様に本発明の紙容器を形成するための積層体としては種々の態様のものが考えられるが、この積層体の例を図１〜３に示す。図１に示す積層体は、ＰＥ層（最外層）２／紙基材１／シングルサイト触媒を用いて得られるエチレン−αオレフィン共重合体層（最内層）３からなる。」《段落【００２２】〜【００２３】》
　1f　「上記図１〜３に示すような積層体を用いて形成される本発明の紙容器は、ゲーベルトップ型、フラットトップ型、箱型等の様々な形状に組立てられる。この場合、積層体シートを紙容器の展開図通りに打ち抜いた後、ゲーベルトップ型およびフラットトップ型にあっては、胴部をフレームシールまたはホットエアーシールにより貼合して、充填機内で製箱する。」《段落【００３０】》
（１−２）刊行物１の前記1a〜1fの記載を総合すると、同刊行物には次の発明（以下「引用発明」という。）が記載されていると認められる。
　【引用発明】「紙層、及びシングルサイト触媒を用いて重合されたエチレン−αオレフィン共重合体から実質的になる最内層を有するゲーベルトップ型紙容器。」
（２）刊行物２（「包装技術」）の記載内容
　刊行物２の記載を総合すると、同刊行物には、次の2a〜2cの事項が記載されていると認められる。
　2a　「メタロセン触媒すなわちシングルサイト触媒を用いて重合されたエチレン−αオレフィン共重合体である直鎖状低密度ポリエチレンは、従来のマルチサイト触媒を用いて重合されたエチレン−αオレフィン共重合体である直鎖状低密度ポリエチレンに比べ、低温ヒートシール性、ホットタック性、機械的強度特性、低移臭性等に優れていること。」《２５頁本文左欄２行〜２６頁本文左欄１７行、２７頁図２、２８頁図３〜４、３０頁表２、３０頁本文右欄１〜１４行》
　2b　「シングルサイト触媒を用いて重合されたエチレン−αオレフィン共重合体である直鎖状低密度ポリエチレンをゲーベルトップ型紙容器等の液体用紙カートンのヒートシール層である最内層を構成する樹脂として使用すること。」《２８頁本文左欄４行〜２９頁本文右欄６行、２９頁写真１》
　2c　「刊行物２が発行された平成７年１１月当時において、シングルサイト触媒を用いて重合されたエチレン−αオレフィン共重合体である直鎖状低密度ポリエチレンは、従来のマルチサイト触媒を用いて重合されたエチレン−αオレフィン共重合体である直鎖状低密度ポリエチレンに比べ価格が割高であるため、商品市場の拡大化を目指した場合、他の樹脂とブレンドして使用するという手段をとらざるを得ないこと。」《３１頁左欄下から１０行〜末行》
　
４　対比判断
（１−１）特許権者は、前記Ｉ．（９）の回答書において、請求項１に係る発明にいう「折り込まれてヒートシールにより密閉された紙容器」とは、例えばゲーベルトップ型紙容器を指す旨回答している。また、刊行物２の前記2aの記載からも明らかなように、技術常識上、引用発明にいう「シングルサイト触媒を用いて重合されたエチレン−αオレフィン共重合体」は、「シングルサイト触媒を用いて重合された直鎖状低密度ポリエチレン」すなわち「シングルサイト触媒を用いて重合された直鎖低密度ポリエチレン」と同じものを意味している。
　そこで、請求項１に係る発明と引用発明とを対比すると、引用発明にいう「シングルサイト触媒を用いて重合されたエチレン−αオレフィン共重合体」、「最内層」、「ゲーベルトップ型紙容器」は、順に、請求項１に係る発明にいう「シングルサイト触媒を用いて重合された直鎖低密度ポリエチレン」、「内層」、「折り込まれてヒートシールにより密閉された紙容器」に相当するから、両者は、次の一致点において一致し、相違点１においてのみ相違すると認められる。
　【一致点】紙層、及びシングルサイト触媒を用いて重合された直鎖低密度ポリエチレンから実質的になる内層を有し、折り込まれてヒートシールにより密閉された紙容器。
　【相違点１】内層が、請求項１に係る発明では、「シングルサイト触媒を用いて重合された直鎖低密度ポリエチレンとマルチサイト触媒を用いて重合された低密度ポリエチレンのブレンドからなる」のに対し、引用発明では、「シングルサイト触媒を用いて重合された直鎖低密度ポリエチレンからなる」点。
（１−２）この相違点１について検討する。
　（i）刊行物２は、本件出願の出願日の直前に発行されたものであり、前記2cのとおり、その当時において、シングルサイト触媒を用いて重合された直鎖低密度ポリエチレン（以下「シングルサイトＬ−ＬＤＰＥ」という。）は、マルチサイト触媒を用いて重合されたエチレン−αオレフィン共重合体である直鎖状低密度ポリエチレン（以下「マルチサイトＬ−ＬＤＰＥ」という。）に比べ、価格が割高な点で問題があったというのであるから、刊行物１記載の引用発明においても、その当時これを実施しようとすれば、刊行物１の前記1b〜1cに挙げられているような従来の「チーグラー触媒（マルチサイト触媒）を用いて得られるエチレン−αオレフィン共重合体」（すなわちマルチサイトＬ−ＬＤＰＥ）を最内層を構成する樹脂として使用する場合に比べ、移臭性は改善されても製品価格が割高となる事態が当然生じたことが推認され、しかも、（ii）刊行物２は、前記2bのとおり、シングルサイトＬ−ＬＤＰＥを、引用発明と同様、ゲーベルトップ型紙容器等の液体用紙カートン、つまり折り込まれてヒートシールにより密閉された紙容器のヒートシール層である最内層を構成する樹脂として使用することを教える上、前記2cの記載から、シングルサイトＬ−ＬＤＰＥ単品を使用した場合の製品価格の高騰を抑えるために他の樹脂とブレンドして使用するという手段があることが知られるから、引用発明において、前記事態の発生を避けるために、ヒートシール層である最内層を構成する樹脂として、シングルサイトＬ−ＬＤＰＥ単品からなるものに代えて、シングルサイトＬ−ＬＤＰＥと他の樹脂とのブレンドからなるものを使用することは、刊行物２の記載から当業者が容易に着想し得ることである。
　そして、その際、ブレンドすべき樹脂として当業者が先ず試みるのは、シングルサイトＬ−ＬＤＰＥと均一に混練しやすいと考えられる他のポリエチレン樹脂であると考えられるところ、刊行物２の前記2aの記載によれば、シングルサイトＬ−ＬＤＰＥと従来のマルチサイトＬ−ＬＤＰＥとの物性が比較対照して示され、前者が後者に比べ低温ヒートシール性、ホットタック性、機械的強度特性、低移臭性等に優れているというのであるから、これらの優位性を多少犠牲にしてでも製品価格を下げようとした場合、ブレンドすべき他のポリエチレン樹脂として従来のマルチサイトＬ−ＬＤＰＥを選択することは、当業者にとって格別困難なことではないというべきである。
　したがって、このこととマルチサイトＬ−ＬＤＰＥが「マルチサイト触媒を用いて重合された低密度ポリエチレン」の１種であることとを考え併せれば、引用発明において、内層を、シングルサイトＬ−ＬＤＰＥからなるものに代えて、これとマルチサイト触媒を用いて重合された低密度ポリエチレンとのブレンドからなるものとすることは、刊行物２の記載に基づいて、本件出願前に当業者が容易に想到しうることである。そして、このようにしたことによって当業者の容易に予測し得ない格別の作用効果を奏するものでもない。
（１−３）特許権者は、前記Ｉ．（７）の特許異議意見書において、前記ブレンド樹脂を使用することにより、シングルサイトＬ−ＬＤＰＥ単品を使用した場合に比べ、折り込まれてヒートシールにより密閉された部分の接着不良や樹脂埋まり不良の発生が防止される旨主張するが、これを認めるに足りる資料は存在しない。なお、特許権者は、前記回答書において、ブレンド樹脂を用いた場合とシングルサイトＬ−ＬＤＰＥ、マルチサイトＬ−ＬＤＰＥの各単品を用いた場合との対比試験データは存在せず、このようなデータを取る予定もない旨回答している。
　
ＩＶ　むすび
　
　以上のとおり、本件特許の請求項１に係る発明は、本件出願前に国内において頒布された刊行物１〜２に記載された発明に基づいて、本件出願前に当業者が容易に発明をすることができたものであるから、本件請求項１に係る特許は、特許法第２９条第２項の規定に違反してされたものであって、特許法第１１３条第２号に該当し取り消すべきものである。
　よって、結論のとおり決定する。
【異議決定日】
平成１４年４月１７日（２００２．４．１７）
【訂正の要旨】
訂正の要旨
　特許第３０７７５７３号発明の明細書について、次のとおり訂正する。
（１）特許請求の範囲の減縮を目的として、特許請求の範囲の記載を次のように訂正する。
　「【請求項１】紙層、及びシングルサイト触媒を用いて重合された直鎖低密度ポリエチレンとマルチサイト触媒を用いて重合された低密度ポリエチレンのブレンドから実質的になる内層を有する紙容器。」
を、
　「【請求項１】紙層、及びシングルサイト触媒を用いて重合された直鎖低密度ポリエチレンとマルチサイト触媒を用いて重合された低密度ポリエチレンのブレンドから実質的になる内層を有し、折り込まれてヒートシールにより密閉された紙容器。」
に訂正する。
（２）明りょうでない記載の釈明を目的として、発明の詳細な説明の記載を次のように訂正する。
　段落【０００５】の記載中、「紙層、及びシングルサイト触媒を用いて重合された直鎖低密度ポリエチレンとマルチサイト触媒を用いて重合された低密度ポリエチレンのブレンドから実質的になる内層を有する紙容器」を、「紙層、及びシングルサイト触媒を用いて重合された直鎖低密度ポリエチレンとマルチサイト触媒を用いて重合された低密度ポリエチレンのブレンドから実質的になる内層を有し、折り込まれてヒートシールにより密閉された紙容器」に訂正する。
（５４）【発明の名称】
紙容器
（５７）【特許請求の範囲】
　【請求項１】　紙層、及びシングルサイト触媒を用いて重合された直鎖低密度ポリエチレンとマルチサイト触媒を用いて重合された低密度ポリエチレンのブレンドから実質的になる内層を有
し、折り込まれてヒートシールにより密閉された
【発明の詳細な説明】
　【０００１】
　【発明の属する技術分野】
　本発明は、牛乳、ジュース等の液体を収容し得る紙容器に関する。
　【０００２】
　【従来の技術】
　従来より、液体用の紙容器として、マルチサイト触媒により重合されたポリオレフィン例えば低密度ポリエチレン等からなるヒートシール層を内層として、その外層に紙、印刷層、及び保護層等を積層した積層材から構成されたものが多く利用されている。しかしながら、マルチサイト触媒を用いて重合された低密度ポリエチレンは、そのフィルムの透明性、及び機械的強度が良好ではなく、樹脂臭の臭い移りがあり、また、その低温シール性についてもまだ改良の余地があった。
　【０００３】
　このようなことから、近年、マルチサイト触媒により重合されたポリオレフィンを、シングルサイト触媒を用いて重合されたポリオレフィン例えば特開平７−１４８８９５号公報に記載されているようなシングルサイト触媒を用いて重合されたエチレン−αオレフィン共重合体に代替することが試みられている。シングルサイト触媒を用いて重合されたポリオレフィンを用いると、マルチサイト触媒を用いて重合されたポリオレフィンを用いた場合に比べ、その機械的強度が向上し、樹脂臭の臭い移りがなくなる。また、その低温シール性及びホットタック性が向上するので、生産性がよくなる。しかしながら、紙容器のヒートシール工程特に紙容器のトップ及びボトムシール工程では、加熱から圧着までに時間のずれがある場合が多く、このような場合にヒートシールされた部分の樹脂埋りまたは接着に不良が発生するという問題があった。
　【０００４】
　【発明が解決しようとする課題】
　本発明は、上記事情に鑑みてなされたもので、低温シール性及び機械的強度が良好であり、内容物への樹脂臭の臭い移りが少なく、かつそのヒートシール工程で、良好なシール性を示し、樹脂埋り不良が発生しない改良された紙容器を提供することを目的とする。
　【０００５】
　【課題を解決するための手段】
　本発明は、紙層、及びシングルサイト触媒を用いて重合された直鎖低密度ポリエチレンとマルチサイト触媒を用いて重合された低密度ポリエチレンのブレンドから実質的になる内層を有
し、折り込まれてヒートシールにより密閉された
　【０００６】
　【発明の実施の形態】
　発明者らは、シングルサイト触媒を用いて重合された直鎖低密度ポリエチレンを用いた紙容器のヒートシール性及び樹脂埋り不良を改善すべく、鋭意研究を行なった。
　【０００７】
　シングルサイト触媒を用いて重合された直鎖低密度ポリエチレンは、組成分布、分子量分布が狭く、結晶ラメラが薄く、かつタイ分子の数が多い。このため、低密度化により低融点にすることができ、これを用いたフィルムは、低温シール性に優れる。また、フィルムのホットタック性及び機械的特性が他の低密度ポリエチレン類よりも良好である。
　【０００８】
　また、このシングルサイト触媒を用いて重合された直鎖低密度ポリエチレンは、他の低密度ポリエチレン類と比較して、樹脂特有の原料臭がほとんどなく、包装体の最内層として使用しても、内容物に臭い移りが少ない。
　【０００９】
　しかしながら、このシングルサイト触媒を用いて重合された直鎖低密度ポリエチレンのみをヒートシール層として利用して紙容器を形成すると、ボトム部分の樹脂埋り不良が発生する。樹脂埋り不良は、例えば紙容器のボトム部分を形成する際に、その密封片を折り込んで互いに接着することにより、密封片間に段差が生じ、この段差間に溶融した樹脂が十分に流れ込まないために発生する。また、接着不良は、紙容器のトップの部分を折り込んで密閉する場合に、多く発生する。これは、一旦接着しても、溶融した樹脂が固化するまでに、紙の反発により、接着部分に剥離する力が加わり、発生するものである。このボトム部の樹脂埋り不良及びトップ部の接着不良は、樹脂のメルトフローレート、メルトテンション、及び溶融粘度に起因すると考えられる。
　【００１０】
　メルトフローレートは、マルチサイト触媒を用いて重合された低密度ポリエチレンよりも、シングルサイト触媒を用いて重合された直鎖低密度ポリエチレンの方が大きいが、メルトテンションはマルチサイト触媒を用いて重合された低密度ポリエチレンの方が大きい。これは、加熱、圧着により、溶融した低密度ポリエチレンが隙間に満たされた状態で、ここに強い剥離力を与えた場合、マルチサイト触媒を用いて重合された低密度ポリエチレンよりも、シングルサイト触媒を用いて重合された直鎖低密度ポリエチレンの方が逃げやすいことを意味する。
　【００１１】
　また、見かけの溶融粘度は、低剪断速度においてはシングルサイト触媒を用いて重合された直鎖低密度ポリエチレンの方が小さく、高剪断速度では、シングルサイト触媒を用いて重合された直鎖低密度ポリエチレンの方が大きい。これは、溶融樹脂にかかる剪断速度が高いとき、シングルサイト触媒を用いて重合された直鎖低密度ポリエチレンは流れ難いので、樹脂埋りが悪いことを示す。
　【００１２】
　したがって、シングルサイト触媒を用いて重合された直鎖低密度ポリエチレンのメルトテンションをあげ、この直鎖低密度ポリエチレンの流動性をよくすることが、樹脂埋り不良の改善に有効である。
　【００１３】
　このようなことから、本発明者らは、紙容器の内層として、シングルサイト触媒を用いて重合された直鎖低密度ポリエチレンとマルチサイト触媒を用いて重合された低密度ポリエチレンとをブレンドしたものを用いることを見出だした。
　【００１４】
　シングルサイト触媒を用いて重合された直鎖低密度ポリエチレンとマルチサイト触媒を用いて重合された低密度ポリエチレンとのブレンドを行なうことにより、溶融粘度は下がるものの、シングルサイト触媒を用いて重合された直鎖低密度ポリエチレンの低温シール性、ホットタック性及び機械的特性をある程度維持しつつ、メルトテンションを上げることができる。これにより、加熱圧着後、紙の反発で密封部分にはがれる方向の力が加わった場合、及び密封部に段差が生じた場合であっても、低密度ポリエチレンが流れ易くなり、また圧着された隙間から逃げ難くなるため、樹脂埋りが良好となる。
　【００１５】
　シングルサイト触媒を用いて重合された直鎖低密度ポリエチレンとマルチサイト触媒を用いて重合された低密度ポリエチレンとのブレンド比は、好ましくは９０／１０ないし７０／３０、さらに好ましくは８０／２０である。
　【００１６】
　本発明の紙容器には、そのヒートシール層として、このようにして得られた樹脂を用いる。尚、シングルサイト触媒を用いて重合された直鎖低密度ポリエチレンとマルチサイト触媒を用いて重合された低密度ポリエチレンとのブレンドには、例えば酸化防止剤、紫外線吸収剤、帯電防止剤、アンチブロッキング剤、滑剤、難燃化剤、無機及び有機充填剤、染料、及び顔料等の添加剤を加えることができる。
　【００１７】
　ここで、シングルサイト触媒とは、メタロセン系遷移金属化合物と有機アルミニウム化合物とからなる触媒をいう。メタロセン系遷移金属化合物としては、例えばＩＶＢ族から選択される遷移金属元素例えばチタン、ジルコニウム、ハフニウムに、シクロペンタジエニル基、置換シクロペンタジエニル基、インデニル基、テトラヒドロインデニル基、置換テトラヒドロインデニル基、フルオニル基、または置換フルオニル基が１ないし２結合しているか、あるいはこれらのうち２つの基が共有結合で架橋したものが結合しており、他に水素原子、酸素原子、ハロゲン原子、アルキル原子、アルコキシ原子、アリール基、アセチルアセトナート基、カルボニル基、窒素分子、酸素分子、ルイス塩基、ケイ素原子を含む置換基、不飽和炭化水素等の配位子を有するものがあげられる。
　【００１８】
　また、有機アルミニウム化合物としては、アルキルアルミニウム、または鎖状あるいは環状アルミノキサン等があげられる。ここで、アルキルアルミニウムとしては、トリエチルアルミニウム、トリイソブチルアルミニウム、ジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムハイドライド、ジエチルアルミニウムハイドライド、エチルアルミニウムセスキクロリド等があげられる。
　【００１９】
　また、鎖状あるいは環状アルミノキサンは、アルキルアルミニウムと水とを接触させることにより生成される。さらに、上記シングルサイト触媒は、シリカゲル、ゼオライト、珪藻土等の無機物質担体に担持させることができる。
　【００２０】
　重合法としては塊状重合、溶液重合、懸濁重合、気相重合等があげられる。以下、図面を参照し、本発明を具体的に説明する。図１は、本発明の紙容器の一実施形態を示す図である。図２は、図１に示す紙容器の一部を切り取った様子を示す図、図３は、図２の断面１０の部分拡大図である。
　【００２１】
　図１に示すように、この紙容器１は、屋根形の頂部３及び平底状の底部２を有する中空の角筒形容器であり、ゲーベルトップ型と呼ばれる。この紙容器１は、図３に示すように、例えば内層１１、紙層１２、及び外層１３からなる積層体によって構成される。この内層１１及び外層１３のうち、少なくとも紙容器１の内層は、シングルサイト触媒を用いて重合された直鎖低密度ポリエチレンとマルチサイト触媒を用いて重合された低密度ポリエチレンとを例えば８０／２０の比率でブレンドしたものからなる。
　【００２２】
　図４は、本発明の紙容器を構成する積層体の他の実施形態を示す。この積層体２０は、外表面に印刷層１８が形成された紙容器に使用されるもので、内層１７、紙層１２、及び外層１９からなる。内層１７は、シングルサイト触媒を用いて重合された直鎖低密度ポリエチレンとマルチサイト触媒を用いて重合された低密度ポリエチレンのブレンド（８０／２０）からなる。
　【００２３】
　また、図５は、本発明の紙容器を構成する積層体のさらに他の実施形態を示す。この積層体３０は、バリヤー性を有する紙容器に使用されるもので、内層１７、酸化ケイ素蒸着層３３、ポリエステル層３２、低密度ポリエチレン層３４、低密度ポリエチレン層３５、紙層１２、及び外層１９が順に積層された構成を有する。酸化ケイ素蒸着層３３はポリエステル層３２上に予め蒸着されている。内層１７と酸化ケイ素蒸着層３３との間及びポリエステル層３２と低密度ポリエチレン層３４との間には、接着性を向上するために、好ましくはアンカー層が設けられる。
　【００２４】
　内層１７は、シングルサイト触媒を用いて重合された直鎖低密度ポリエチレンとマルチサイト触媒を用いて重合された低密度ポリエチレンのブレンド（８０／２０）からなり、紙容器の内層として用いられる。アンカー層は、例えばウレタン系樹脂、飽和ポリエステル／イソシアネート化合物からなる樹脂からなり、酸化ケイ素蒸着ポリエステル層３２と内層１７あるいは低密度ポリエチレン層３４との接着性を向上するために用いられる。低密度ポリエチレン層３４、及び低密度ポリエチレン層３５は、各々層間を接着するため、及び全体の剛性を確保するために設けられる。
　【００２５】
　【００２６】
　【００２７】
　【００２８】
　【００２９】
　【００３０】
　【００３１】
　【００３２】
　【００３３】
　【００３４】
　【００３５】
　【００３６】
　本発明の紙容器の形状は、図１に示すようなゲーベルトップ型紙容器に限定されるものではない。図９に、本発明の他の実施形態を表す図、図１０に、図９の断面を概略的に表す図を示す。図９に示すように、本発明の紙容器は、円筒形状であってもよい。この紙容器は、例えば図５に示すような積層体を用いて形成することができる。その構造は、図１０に示すように、積層体からなるシートを湾曲させて筒状にし、合致した両端辺を互いに封止することにより形成された円筒状の容器本体１２０と、容器本体１２０の２つの開口の一方に設けられた浅いカップ型の底部材１３０と、他方の開口に設けられ、浅いカップ型を有し、その底部にシール部材１４０で剥離可能に封止された取り出し口１１１を有する蓋部材１１０とから基本的に構成されている。容器本体１２０の開口端は、各々、その端部から所定の長さだけ内側に折り込まれた折り返し片１２１、１２２を有し、折り返し片１２２と本体１２０との隙間には、底部材１３０の側壁１３２が差し込まれ、折り返し片１２１と本体１２０との隙間には、蓋部材１１０の側壁１１２が差し込まれ、各々、加熱により巻き込み封止されている。
　【００３７】
　この容器は、シール部材１４０は摘み片１４１をきっかけとして引き剥すことにより、取り出し口１１１から内容物を取り出すことができる。また、この容器は、低温シール性及び機械的強度共に良好であり、その樹脂埋りは、ゲーベルトップ型紙容器と同様に十分で、かつ内容物への樹脂臭の臭い移りが少ないものであった。以上のように、本発明の紙容器は、その樹脂埋りも良好であり、かつ耐衝撃性に優れている。
　【００３８】
　【発明の効果】
　本発明によれば、低温シール性及び機械的強度が良好であり、そのヒートシール工程で樹脂埋り不良が発生せず、かつ内容物への樹脂臭の臭い移りが少ない高品質の紙容器が得られる。さらに、本発明の紙容器は、低温シール性に優れるために、生産性がよい。
【図面の簡単な説明】
　【図１】　本発明の紙容器の一実施形態を示す斜視図
　【図２】　図２に示す紙容器の一部を切り取った様子を示す図
　【図３】　図３の断面１０の部分拡大図
　【図４】　本発明の紙容器を構成する積層体の他の実施形態を示す図
　【図５】　本発明の紙容器を構成する積層体のさらに他の実施形態を示す図
　【図６】　圧縮試験における圧縮方向を示す図
　【図７】　圧縮試験における圧縮方向を示す図
　【図８】　圧縮試験における圧縮方向を示す図
　【図９】　本発明の紙容器の他の実施形態を示す斜視図
　【図１０】　図９の縦断面を概略的に示す図
　【符号の説明】
　１…紙容器
　２…底部
　３…頂部
　１０…断面
　１１，１７…内層
　１３，１９…外層
　１２…紙層
　１８…印刷層
　２０，３０…積層体
　３２…酸化ケイ素蒸着ポリエステル層
　３４，３５…低密度ポリエチレン層